(57)【特許請求の範囲】
【請求項１】
互いに別体に形成された本体部及び読取部を具備し、読取部には原稿画像を光学的に読み取るスキャナヘッドが組み込まれるとともに、この読取部が、本体部の側端に、本体部の底面と略平行な回動軸を有するヒンジ部を介して揺動自在に連結されたことを特徴とするハンディスキャナ。
【請求項２】
スキャナヘッドが、読取部の底面に組み込まれたことを特徴とする請求項１に記載のハンディスキャナ。
【請求項３】
スキャナヘッドが、ヒンジ部に設けられた付勢手段によって、読取部の底面側に付勢されていることを特徴とする請求項２に記載のハンディスキャナ。
【請求項４】
本体部と読取部とが、互いの底面が同一平面をなす状態で一時的に固定できるように形成されたことを特徴とする請求項２に記載のハンディスキャナ。
【請求項５】
スキャナヘッドが、読取部の側端面に組み込まれたことを特徴とする請求項１に記載のハンディスキャナ。
【請求項６】
読取部が、スキャナヘッドの読取面を本体部の側端に向ける位置まで反転可能に保持されるとともに、その反転状態で一時的に固定できるように形成されたことを特徴とする請求項５に記載のハンディスキャナ。
【請求項７】
本体部の側端には、スキャナヘッドの清掃布が、本体部側に向けたスキャナヘッドの読取面に接触するように取り付けられたことを特徴とする請求項６に記載のハンディスキャナ。
【請求項８】
読取部には、スキャナヘッドの読取幅よりも小さい幅の原稿をスキャナヘッドの読取面に沿って案内することのできる原稿ガイドが取り付けられたことを特徴とする請求項１に記載のハンディスキャナ。
【請求項９】
読取部の底面にスキャナヘッドが組み込まれる横型ハンディスキャナにあっては、読取部が、その底面と本体部の底面とを直交させてスキャナヘッドの読取面を本体部側に向ける位置まで回動して保持され、
又、読取部の側端面にスキャナヘッドが組み込まれる縦型ハンディスキャナにあっては、該読取部が、スキャナヘッドの読取面を本体部の側端に向ける位置まで反転して保持され、
前記いずれかの保持状態で、スキャナヘッドの読取面と本体部との間に形成される隙間にスキャナヘッドの読取幅よりも小さい幅の原稿を挿通して読み取ることができるように形成されたことを特徴とする請求項１に記載のハンディスキャナ。
【請求項１０】
読取部の底面にスキャナヘッドが組み込まれる横型ハンディスキャナにあっては、該読取部が、その底面と本体部の底面とを直交させてスキャナヘッドの読取面を本体部側に向ける位置と、読取部の底面を本体部の底面と略同一平面となす位置との間で、
又、読取部の側端面にスキャナヘッドが組み込まれる縦型ハンディスキャナにあっては、該読取部がスキャナヘッドの読取面を本体部側に向ける位置と、スキャナヘッドの読取面を本体部に背向させる位置との間で、
それぞれ原稿の読取方向が互いに反対向きに切り替えられることを特徴とする請求項９に記載のハンディスキャナ。
【請求項１１】
本体部には、操作内容又は読み取り結果を表示する表示部が設けられ、この表示部が、原稿読取時にその表示を消すことができるように形成されたことを特徴とする請求項１に記載のハンディスキャナ。
【発明の詳細な説明】
【０００１】
【発明の属する技術分野】
本発明は、文字や図形などが印刷又は記載された原稿面上を手動で走査することにより、それらの文字や図形を画像情報として読み取るハンディスキャナに関する。
【０００２】
【従来の技術】
従来一般のハンディスキャナは、原稿画像を光学的に読み取るスキャナヘッドがハンディスキャナの本体部に一体に組み込まれており、その本体部を手に持って、スキャナヘッドを原稿面に沿って移動させるように構成されている。
【０００３】
かかるハンディスキャナの構成を図１１〜図１３に例示する。図１１は従来一般のハンディスキャナ１の基本的な外部形態、図１２はいわゆる横型ハンディスキャナ１Ａの断面構造、図１３はいわゆる縦型ハンディスキャナ１Ｂの断面構造をそれぞれ示す。
【０００４】
ハンディスキャナ１は、通常、手に保持しやすい適当な大きさの細長い本体キャビネット２内に組み込まれ、基板２１、回路部品２２、電池２３などがこの本体キャビネット２に内蔵される。本体キャビネット２の表面には、操作内容や読み取り結果等を表示する表示部２４や操作スイッチ２５等が配置される。原稿Ｐを読み取るスキャナヘッド２６は、横型ハンディスキャナ１Ａにあっては本体キャビネット２の底面（図１２における下面）に、また縦型ハンディスキャナ１Ｂにあっては本体キャビネット２の側端面（図１３における下面）に、固定状態で取り付けられる。スキャナヘッド２６と同じ面には、スキャナヘッド２６を円滑に移動させるためのローラー２７及び補助ローラー２８が取り付けられ、ローラー２７の回転量がキャビネット内に組み込まれたロータリーエンコーダ２９により測定されて、スキャナヘッド２６の移動量が検出されるようになっている。
【０００５】
【発明が解決しようとする課題】
ところで、ハンディスキャナ１（１Ａ，１Ｂ）を用いて読み取ろうとする原稿Ｐは、厚みのある書籍や雑誌であることも多く、その種の原稿Ｐの表面には通常、ページの段差や傾斜、紙面の湾曲やしわなどが存在する。そのため、このような平坦でない原稿Ｐを従来のハンディスキャナ１（１Ａ，１Ｂ）で読み取る場合には、スキャナヘッド２６を原稿Ｐの表面に沿って移動させる際に微妙な手加減をしないと、スキャナヘッド２６が原稿Ｐの表面から浮き上がってしまったり、段差やしわに引っ掛かったりして、良好に読み取れないという事態がしばしば生じていた。
【０００６】
そこで、段差や凹凸のある原稿Ｐでも良好に読み取ることのできるハンディスキャナとして、実開平５−４６１６７号公報に記載の発明が提案されている。図１４に示すように、このハンディスキャナ１Ｃは、筐体３１の内側に、バネ等の弾性部材３２を介してスキャナヘッド３３（密着イメージセンサ）を支持するようにしたもので、このスキャナヘッド３３が弾性部材３２の作用によって原稿Ｐに密着し、原稿Ｐの表面の凹凸や傾斜に追従するように構成されている。
【０００７】
しかしながら、このハンディスキャナ１Ｃにおいては、スキャナヘッド３３が筐体３１に対して上下左右に移動自在の状態で支持されているため、筐体３１を手に保持して移動させる際に、スキャナヘッド３３が不規則にぶれる可能性があり、そのような場合に読み取り不良が発生するおそれがあった。
【０００８】
また、図１２に示したような横型ハンディスキャナ１Ａにあっては、その本体キャビネット２における表面積の最も大きい底面部分を原稿Ｐの表面に沿って移動させる必要がある。そのため、原稿Ｐの表面にページの段差や凹凸がある場合にはその影響を受けやすくなり、原稿Ｐの表面全体を均一に精度よく読み取ることが困難になるという不都合も残されていた。
【０００９】
本発明はこのような事情に鑑みてなされたもので、原稿の表面にページの段差や凹凸、紙面のしわやたわみなどが存在する場合であっても、それらの影響をあまり受けず、微妙な手加減を要さずとも原稿を精度よく読み取ることのできるハンディスキャナを提供することを解決課題とする。
【００１０】
【課題を解決するための手段】
前記課題を解決するため、本発明のハンディスキャナの基本的構成は、互いに別体に形成された本体部及び読取部を具備し、読取部には原稿画像を光学的に読み取るスキャナヘッドが組み込まれるとともに、この読取部が、本体部の側端に、本体部の底面と略平行な回動軸を有するヒンジ部を介して揺動自在に連結されたことを特徴とする。
【００１１】
すなわち、この発明は、従来では一体に形成されていた本体部と読取部とを別体に形成して、読取部を本体部の側端にヒンジ連結することにより、読取部を本体部に対して首振り状態に揺動させるようにしたものである。この本体部を使用者が手に持って、読取部を原稿Ｐの表面に押し当てることにより、読取部の姿勢が原稿Ｐの表面の段差や傾斜に追従して、読み取り精度が向上する。また、読取部の姿勢が手に持った本体部の角度にもあまり影響されないので、操作に不慣れな使用者にとっても、読み取り操作が容易になる。
【００１２】
この基本的構成にかかる発明において、スキャナヘッドは、読取部の底面に組み込むことができる。ここで、読取部の底面とは、通常の使用状態において本体部の底面と略同一平面をなす側の面である。これにより、従来の横型ハンディスキャナと同様の使い勝手が得られる。ただし、従来の横型ハンディスキャナでは、原稿Ｐの表面に、本体部及び読取部の全体が円滑に移動できるだけの平坦部分が必要であったが、この発明によれば、本体部を適当な角度で手に持つことができるので、原稿Ｐの表面には読取部が移動できるだけの平坦部分があればよい。したがって、原稿Ｐの表面の状態にあまり影響されずに使用することができる。
【００１３】
そして、前記スキャナヘッドが、ヒンジ部に設けられた付勢手段によって、読取部の底面側に付勢されているように構成することにより、スキャナヘッドの原稿Ｐの表面に対する密着性がよくなり、原稿Ｐの表面の段差や傾斜による影響をさらに小さくすることができる。
【００１４】
また、前記のように横型で使用するハンディスキャナにおいて、本体部と読取部とを、互いの底面が同一平面をなす状態で一時的に固定できるように形成してもよい。これにより、横型ハンディスキャナとしての使用性がさらに向上する。したがって、例えば１枚の紙面原稿のような平坦な原稿については、固定した本体部と読取部の底面全体を使用して、より円滑な読み取り操作を行うことができる。
【００１５】
一方、前記基本的構成にかかる発明において、スキャナヘッドは、読取部の側端面に組み込むこともできる。これにより、従来の縦型ハンディスキャナと同様の使い勝手が得られる。ただし、従来の縦型ハンディスキャナでは、手に持った本体部の角度が読取部と原稿Ｐの表面との密着状態に直接的に影響するため、操作に不慣れな使用者が傾斜や湾曲のある原稿を読み取る場合には読み取り不良が生じやすかったのに対し、この発明では、読取部が首振り状態に揺動して原稿Ｐの表面に密着しやすくなるため、不慣れな使用者にとっても、読取部を原稿Ｐの表面の傾斜等に追従させることが容易になる。
【００１６】
また、このように縦型で使用するハンディスキャナにおいて、読取部が、スキャナヘッドの読取面を本体部側に向ける位置まで反転可能に保持されるとともに、その反転状態で一時的に固定できるように形成することもできる。これにより、不使用時には、スキャナヘッドの読取面を本体部側に向けて、衝撃や汚れから保護することができる。
【００１７】
さらに、この発明において、本体部の側端には、スキャナヘッドの清掃布が、本体部側に向けたスキャナヘッドの読取面に接するように取り付けられていてもよい。これにより、使用者が特に手間をかけずとも、不使用時にスキャナユニットの読取面が清掃されることとなる。
【００１８】
また、前記基本的構成にかかる発明において、読取部には、スキャナヘッドの読取幅よりも小さい幅の原稿をスキャナヘッドの読取面に沿って案内することのできる原稿ガイドが取り付けられてもよい。これにより、名刺や写真などの小さい原稿を、容易に読み取ることができるようになる。
【００１９】
また、前記基本的構成にかかる発明において、読取部の底面にスキャナヘッドが組み込まれる横型ハンディスキャナにあっては、読取部が、その底面と本体部の底面とを直交させてスキャナヘッドの読取面を本体部側に向ける位置まで回動して保持され、又、読取部の側端面にスキャナヘッドが組み込まれる縦型ハンディスキャナにあっては、該読取部が、スキャナヘッドの読取面を本体部の側端に向ける位置まで反転して保持され、前記いずれかの保持状態で、スキャナヘッドの読取面と本体部との間に形成される隙間にスキャナヘッドの読取幅よりも小さい幅の原稿を挿通して読み取ることができるように形成することもできる。この発明によれば、名刺や写真などの小さい原稿を、本体部側に向けたスキャナヘッドと本体部との間の隙間に挿し込んで、容易に読み取ることができるようになる。
【００２０】
さらに、この発明において、読取部の底面にスキャナヘッドが組み込まれる横型ハンディスキャナにあっては、該読取部が、その底面と本体部の底面とを直交させてスキャナヘッドの読取面を本体部側に向ける位置と、読取部の底面を本体部の底面と略同一平面となす位置との間で、又、読取部の側端面にスキャナヘッドが組み込まれる縦型ハンディスキャナにあっては、該読取部がスキャナヘッドの読取面を本体部側に向ける位置と、スキャナヘッドの読取面を本体部に背向させる位置との間で、それぞれ原稿の読取方向が互いに反対向きに切り替えられるようにしてもよい。読取方向の切替は、本体部と読取部とを連結するヒンジ部の周辺に、ヒンジ部の回動角を検出するセンサ等を組み込むことによって行うことができる。そして、スキャナヘッドを原稿Ｐの表面に沿って移動させる通常の使用状態と、小さい原稿をスキャナヘッドと本体部との間の隙間に挿通させる使用状態とで、本体部に対する原稿の読取方向を選択的に切り替えることにより、使用性がさらに向上する。
【００２１】
また、前記基本的構成にかかる発明において、本体部には、、操作内容又は読み取り結果を表示する表示部が設けられ、この表示部が、原稿読取時にその表示を消すことができるように形成されていてもよい。これによれば、使用時の消費電力を節約して、電池の寿命を延ばすことができる。
【００２２】
【発明の実施の形態】
以下、本発明の実施の形態について、図面を参照しつつ説明する。
【００２３】
図１は、本発明の実施の形態にかかるハンディスキャナ１０の基本的構成を示している。このハンディスキャナ１０は、互いに別々の筐体を有する本体部４と読取部５とを備え、これら本体部４と読取部５とが、ヒンジ部６を介して揺動自在に連結されている。
【００２４】
本体部４は、手に持ちやすいような細長くて薄い形状を有し、その表面には、操作内容等を表示する表示部４１や、操作スイッチ４２が配置されている。ヒンジ部６は、この例では、本体部４の短辺側の側端に突出して設けられた一対のヒンジアーム６１，６１間に保持されている。このヒンジアーム６１，６１間には、ヒンジ部６の回動軸６２が本体部４の底面に平行に形成され、この回動軸６２に沿って、本体部４と読取部５とが互いに一定の角度範囲内で揺動できるようになっている。また、読取部５には、原稿Ｐ上の画像を光学的に読み取るスキャナヘッド５１が組み込まれており、このスキャナヘッド５１を介して読み取られた画像情報は、本体部４に送信されて処理される。
【００２５】
図２〜図３は、スキャナヘッド５１が読取部５の底面に組み込まれた、いわゆる横型ハンディスキャナ１０Ａの実施の形態を示す。本体部４と読取部５とは、標準状態において、図３に示すように互いの底面が略同一平面をなす状態に保持される。そして、これらの底面を原稿Ｐの表面に沿って移動させることにより、読取部５の底面に組み込まれたスキャナヘッド５１が原稿Ｐを読み取るようになっている。読取部５の底面にはスキャナヘッド５１を円滑に移動させるためのローラー５２が取り付けられ、本体部４の底面には補助ローラー４３が取り付けられている。そして、読取部５内に組み込まれたロータリーエンコーダ５３がローラー５２の回転量を測定して、スキャナヘッド５１の移動量を検出するようになっている。また、本体部４の内部には、読み取られた画像情報を処理するための基板４４や回路部品４５、電池４６等が組み込まれている。
【００２６】
この横型ハンディスキャナ１０Ａは、本体部４に対して読取部５が首振り状態で揺動するので、図２に示すように本体部４を任意の角度に保持し、読取部５のみを原稿Ｐに沿って移動させても読み取ることができる。したがって、原稿Ｐの表面には読取部５が移動できるだけの平坦部があればよく、原稿Ｐの表面の状態にあまり影響されずに使用することができる。
【００２７】
さらに、図２に示した実施の形態では、ヒンジ部６にバネ等の付勢手段６３が組み込まれて、読取部５が常時、底面側に付勢されるようになっている。これにより、読取部５の原稿Ｐに対する密着性や追従性がよくなり、原稿Ｐの表面に多少の段差や傾斜があっても、それに影響されずに、容易に読み取ることができるようになる。
【００２８】
また、図３に示した実施の形態では、ヒンジ部６の近傍又は本体部４の側端に、読取部５が本体部４に対して揺動するのを拘束するロック爪６４が設けられている。そして、標準状態、つまり本体部４の底面と読取部５の底面とが同一平面をなす状態でこのロック爪６４が作動し、本体部４と読取部５とが固定される。この構成により、例えば１枚の紙面原稿のような平坦な原稿Ｐについては、固定した本体部４と読取部５の底面全体を使用して、より安定した読み取り操作を行うことができ、横型ハンディスキャナ１０Ａとしての使用性がさらに向上する。
【００２９】
図４は、スキャナヘッド５１が読取部５の側端面に組み込まれた、いわゆる縦型ハンディスキャナ１０Ｂの実施の形態を示す。スキャナヘッド５１は、読取部５におけるヒンジ部６の反対側に位置する側端面に組み込まれている。また、ヒンジ部６を保持するヒンジアーム６１の突出寸法は、読取部５が、そのスキャナヘッド５１を本体部４側に向ける位置まで反転できるように形成されている。この縦型ハンディスキャナ１０Ｂにおいては、スキャナヘッド５１を円滑に移動させるためのローラー５２及び補助ローラー４３が、スキャナヘッド５１と同じく読取部５の側端面に設けられているが、その他の基本的な構成は、前記した横型ハンディスキャナ１０Ａとほぼ同様である。
【００３０】
この縦型ハンディスキャナ１０Ｂは、従来の縦型ハンディスキャナ１Ｂと同様にして使用できるので、原稿Ｐの表面には、読取部５が移動できるだけの平坦部があればよく、原稿Ｐの状態にあまり影響されずに使用することができる。さらに、読取部５が首振り状態に揺動して原稿Ｐに密着しやすくなるため、操作に不慣れな使用者にとっても、読取部５を原稿Ｐの傾斜等に追従させることが容易になる。また、不使用時等には、読取部５を図４に示した状態から反転させてスキャナヘッド５１が本体部４側を向くようにし、スキャナヘッド５１の読取面を保護することができる。これにより、特別なカバー部材等を使用せずとも、コンパクトな状態で収納したり携帯したりすることが可能になる。
【００３１】
図５は、図４に示した縦型ハンディスキャナ１０Ｂの変形例を示す。この形態では、読取部５を回動させてスキャナヘッド５１を本体部４側に向けたときに、本体部４の側端に取り付けられた清掃布４７がスキャナヘッド５１の読取面に接触するようになっている。これにより、使用者が特に意識したり手間をかけたりせずとも、不使用時にはスキャナヘッド５１の読取面が清掃されることとなる。清掃布４７は、不織布やフェルトなどの繊維質材料を利用して形成することができる。
【００３２】
図６〜図８は、図４に示した縦型ハンディスキャナ１０Ｂの読取部５に、小さいサイズの原稿ｐを読み取るための原稿ガイド７を取り付けた実施の形態を示す。
【００３３】
原稿ガイド７は、平坦な案内部７１と、その両端に一対の腕部７２，７２とを有する正面視略コ字状の部材で、両端の腕部７２，７２がスキャナヘッド５１の両側に挿入されて出没自在に保持されている。使用時には腕部７２が引き出されて、スキャナヘッド５１の読取面と案内部７１との間に１〜２ｍｍ程度の隙間Ｓが形成される。そして、この隙間Ｓに、例えば名刺や写真など、スキャナヘッド５１の読み取り幅よりも小さい幅の原稿ｐを挿入して移動させることにより、簡単かつ確実に原稿ｐを読み取ることができる。一方、一般的な大きいサイズの原稿Ｐを読み取る場合には、原稿ガイド７の腕部７２，７２を読取部５内に押し込んで、案内部７１がスキャナヘッド５１の読取面に揃うように収納する。案内部７１の中央には、スキャナヘッド５１の読取面と同等かそれよりやや大きい窓部７３が形成されており、収納時には、この窓部７３からスキャナヘッド５１の読取面が露出するようになっている。
【００３４】
図９〜図１０は、小さいサイズの原稿ｐを読み取るために、前記原稿ガイド７とは異なる構成を採用した実施の形態を示すもので、いずれの形態も、本体部４と読取部５との間に原稿ｐを挿通させて読み取るようになっている。
【００３５】
図９に示した構成は、読取部５の底面にスキャナヘッド５１を設けた横型ハンディスキャナ１０Ａにおいて、スキャナヘッド５１の読取面が本体部４側を向く位置まで回動できるようにヒンジ部６が形成されており、この状態で、スキャナヘッド５１の読取面と本体部４との間に原稿ｐを挿通させる。
【００３６】
また、図１０に示した構成は、読取部５の側端面にスキャナヘッド５１を設けた縦型ハンディスキャナ１０Ｂにおいて、スキャナヘッド５１の読取面が本体部４側を向く位置まで回動できるようにヒンジ部６が形成されており、この状態で、スキャナヘッド５１の読取面と本体部４との間に原稿ｐを挿通させる。
【００３７】
このような構成により、前記のような原稿ガイド７を使用せずとも、名刺や写真などの小さい原稿ｐを容易に読み取ることができるようになる。
【００３８】
かかる構成においては、例えば図１０に示すように、ヒンジ部６の近傍に読取部５の角度検出センサ６５を取り付けて、スキャナヘッド５１を本体部４側に向けたときに、スキャナヘッド５１の読取方向（原稿Ｐ，ｐをスキャナヘッド５１に対して移動させる向き）が、通常の読取方向とは反対向きに切り替えられるように構成してもよい。これにより、通常の大きな原稿Ｐを読み取る場合と、小さい幅の原稿ｐを読み取る場合との間で、原稿Ｐ，ｐの読取状態を統一することができる。
【００３９】
また、図１に示したハンディスキャナ１０（１０Ａ又は１０Ｂ）の基本的構成において、使用者が、原稿読取時に、本体部４に設けた表示部４１の表示を任意に消すことができるように構成することもできる。これにより、使用時の消費電力を節約して、内蔵された電池４６の寿命を延ばすことができる。
【００４０】
【発明の効果】
以上に説明したように、本発明のハンディスキャナによれば、本体部と読取部とが別体に形成され、読取部が本体部の側端にヒンジ連結されるので、読取部を本体部に対して首振り状態に揺動させることができる。そのため、使用者が本体部を手に持って、読取部を原稿Ｐの表面に押し当てたときに、読取部が原稿Ｐの表面の段差や傾斜に追従しやすくなり、読み取り精度が向上する。また、読取部の姿勢や角度が、本体部の保持状態の影響を受けにくくなるので、操作に不慣れな使用者にとっても、読み取り操作が容易になる。
【図面の簡単な説明】
【図１】本発明の実施の形態にかかるハンディスキャナの基本的構成を示す外観斜視図である。
【図２】前記ハンディスキャナのうち、いわゆる横型ハンディスキャナの実施の形態を示す断面図である。
【図３】同じく、横型ハンディスキャナの他の実施の形態を示す断面図である。
【図４】図１に示したハンディスキャナのうち、いわゆる縦型ハンディスキャナの実施の形態を示す断面図である。
【図５】図４に示した縦型ハンディスキャナの変形例を示す断面図である。
【図６】縦型ハンディスキャナの読取部に原稿ガイドを取り付けた実施の形態を示す図であり、原稿ガイド使用状態の部分正面図である。
【図７】同じく、原稿ガイド使用状態の部分断面図である。
【図８】同じく、原稿ガイド不使用状態の部分正面図である。
【図９】横型ハンディスキャナにおける本体部と読取部との間で、小さい幅の原稿を読み取ることができるように構成された実施の形態を示す部分断面図である。
【図１０】縦型ハンディスキャナにおける本体部と読取部との間で、小さい幅の原稿を読み取ることができるように構成された実施の形態を示す部分断面図である。
【図１１】従来の一般的なハンディスキャナの基本的構成を示す外観斜視図である。
【図１２】従来のハンディスキャナのうち、いわゆる横型ハンディスキャナの構成を示す断面図である。
【図１３】従来のハンディスキャナのうち、いわゆる縦型ハンディスキャナの構成を示す断面図である。
【図１４】実開平５−４６１６７号公報に開示された従来のハンディスキャナの構成を示す部分断面図である。
【符号の説明】
１０  ハンディスキャナ
１０Ａ  横型ハンディスキャナ
１０Ｂ  縦型ハンディスキャナ
４  本体部
４１  表示部
４７  清掃布
５  読取部
５１  スキャナヘッド
６  ヒンジ部
６２  回動軸
６３  付勢手段
７  原稿ガイド
【図１】
0004315571.tif 000002
【図２】
0004315571.tif 000003
【図３】
0004315571.tif 000004
【図４】
0004315571.tif 000005
【図５】
0004315571.tif 000006
【図６】
0004315571.tif 000007
【図７】
0004315571.tif 000008
【図８】
0004315571.tif 000009
【図９】
0004315571.tif 000010
【図１０】
0004315571.tif 000011
【図１１】
0004315571.tif 000012
【図１２】
0004315571.tif 000013
【図１３】
0004315571.tif 000014
【図１４】
0004315571.tif 000015